(57)【要約】【課題】入力の手間を省き、入力忘れを防ぐ情報編集装置とその方法およびそれを組み込んだ情報端末を提供する。【解決手段】スケジュールのタイトルを入力する入力部３０と、スケジュールのタイトルを関連付けた関連テーブルを記憶する記憶部４０と、画面表示する表示部２０と、イベント別ＴｏＤｏテーブルの作成を制御する制御部１０から成り、制御部１０は、データ管理部１と関連テーブル検索部２とソート部３とＴｏＤｏリスト作成部４とテーブル更新部５とスケジュール作成部６とから構成される。【選択図】図１
2005346199.tif 000002
【特許請求の範囲】
【請求項１】
スケジュール上の予定事項の名称であるイベント名を入力する入力部と、
スケジュール上の予定事項の名称として予め備えられたイベント候補名と、スケジュールを遂行する上での実施すべき事項の名称である実施事項名と、を関連付けた関連テーブルを記憶する記憶部と、
前記入力部により入力された前記イベント名と、前記関連テーブルに記憶された前記イベント候補名と、を比較するテーブル検索部と、
前記テーブル検索部によって前記比較した結果、前記イベント名とイベント候補名とが一致した場合には、該一致したイベント候補名に関連付けられた前記実施事項名を抽出し、該抽出された実施事項名と、該実施事項名に対応した実施すべき事項の実施期限とを関連付けて記憶する実施事項テーブルを作成するテーブル更新部からなる情報編集装置。
【請求項２】
前記実施事項名が抽出された回数をカウントし、該抽出された回数を前記関連テーブルに記憶された前記実施事項名に対応して記憶する実施事項名カウント手段を備え、
前記抽出された回数に基づいて前記実施事項テーブルに記憶される実施事項名を並べ替える並べ替え部を有することを特徴とする請求項１記載の情報編集装置。
【請求項３】
前記テーブル検索部が行う前記イベント名と前記イベント候補名との比較は、部分一致検索であることを特徴とする請求項１または２に記載の情報編集装置。
【請求項４】
前記情報編集装置は表示部を備え、
前記抽出された実施事項名と、該実施事項名に対応した実施すべき事項の実施期限とを関連付けて表示することを特徴とする請求項１から３いずれかに記載の情報編集装置。
【請求項５】
請求項１から４いずれかに記載の情報編集装置を備えた携帯情報端末。
【請求項６】
スケジュール上の予定事項の名称であるイベント名を入力するステップと、
スケジュール上の予定事項の名称として予め備えられたイベント候補名と、スケジュールを遂行する上での実施すべき事項の名称である実施事項名と、を関連付けた関連テーブルを記憶するステップと、
前記入力ステップで入力された前記イベント名と、前記関連テーブルに記憶された前記イベント候補名と、を比較するステップと、
前記比較するステップで比較した結果、前記イベント名とイベント候補名とが一致した場合には、該一致したイベント候補名に関連付けられた前記実施事項名を抽出し、該抽出された実施事項名と、該実施事項名に対応した実施すべき事項の実施期限とを関連付けて記憶するステップからなる情報編集方法。
【発明の詳細な説明】
【技術分野】
【０００１】
本発明は、入力の手間を省き、入力忘れを防ぐ情報編集装置とその方法およびそれを組み込んだ情報端末に関する。
【背景技術】
【０００２】
携帯情報端末（ＰＤＡ）はスケジュール帳、アドレス帳、電子メールなどの各種アプリケーションを実行でき、かつ小型で可搬性に富むものである。このような従来のＰＤＡに見られるようなスケジュール管理アプリケーション（スケジュール帳）において、スケジュール上での仕事の項目とそれを具体的に実行するための詳細なサブワークの管理とは、直接リンクしていなかった。例えば、スケジュール帳の表示部に「会議」と表示されても、この会議に付随して発生する「会議の準備」や「議事録の作成」などについては表示されない。なお、ここでは「会議」などのスケジュール上での予定事項をイベントと呼ぶ。従って、これらそれぞれの仕事を遂行する上での具体的なアクションアイテム（実施すべき事項）に関しては、スケジュール帳アプリケーションとは別にＴｏＤｏ管理アプリケーションと呼ばれる、アクションアイテムを管理する為のアプリケーションが必要であり、ユーザは各イベント毎に、実行すべきアクションアイテムを考えあるいは思い出しながら別途にアクションアイテムリスト（ＴｏＤｏリスト）を最初から作成するという手間が、毎回生じていた。この場合、リスト作成時に入力忘れが生じ、スケジュールに影響が出るなどの問題があった。例えば「会議の準備」を入力し忘れた為に会議が出来ないという事があった。スケジュール管理アプリケーションに関しては、特許文献１に記載されているような、スケジュールの入力画面から顧客データのような情報を表示させる方法がある。
【特許文献１】特開平１１−５３４３７号公報
【発明の開示】
【発明が解決しようとする課題】
【０００３】
本発明は、このような問題を解決するためになされたものであり、その目的は、入力の手間を省き、入力忘れを防ぐ情報編集装置とその方法およびそれを組み込んだ情報端末を提供することである。
【課題を解決するための手段】
【０００４】
本発明の情報編集装置は、スケジュール上の予定事項の名称であるイベント名を入力する入力部と、
スケジュール上の予定事項の名称として予め備えられたイベント候補名と、スケジュールを遂行する上での実施すべき事項の名称である実施事項名と、を関連付けた関連テーブルを記憶する記憶部と、
前記入力部により入力された前記イベント名と、前記関連テーブルに記憶された前記イベント候補名と、を比較するテーブル検索部と、
前記テーブル検索部によって前記比較した結果、前記イベント名とイベント候補名とが一致した場合には、該一致したイベント候補名に関連付けられた前記実施事項名を抽出し、該抽出された実施事項名と、該実施事項名に対応した実施すべき事項の実施期限とを関連付けて記憶する実施事項テーブルを作成するテーブル更新部からなることを特徴とする。
このようにすることにより、本発明である情報編集装置が、ユーザが入力したイベント名から、該イベント名に関連する実施事項名と該実施事項に対応した実施期限とを表したテーブルを作成するので、ユーザはイベントに関連する実施事項や実施期限を思い出さなくてもよい。
【０００５】
前記情報編集装置において、前記実施事項名が抽出された回数をカウントし、該抽出された回数を前記関連テーブルに記憶された前記実施事項名に対応して記憶する実施事項名カウント手段を備え、
前記抽出された回数に基づいて前記実施事項テーブルに記憶される実施事項名を並べ替える並べ替え部を有することを特徴とする。
【０００６】
前記情報編集装置において、前記テーブル検索部が行う前記イベント名と前記イベント候補名との比較は、部分一致検索であることを特徴とする。
【０００７】
前記情報編集装置は表示部を備え、
前記抽出された実施事項名と、該実施事項名に対応した実施すべき事項の実施期限とを関連付けて表示することを特徴とする。
このようにすることにより、情報編集装置がユーザが入力したイベント名に関する実施事項名を検索し、該実施事項名と対応する実施期限とを表示するので、ユーザは入力したイベント名に関する実施事項名と対応する実施期限を確認することができ、ＴｏＤｏアプリケーションに入力する際の入力作業が簡易になり入力忘れも防ぐことができる。
【０００８】
本発明の情報端末は、前記情報編集装置を備えたことを特徴とする。
【０００９】
本発明の別の態様としての情報編集方法は、スケジュール上の予定事項の名称であるイベント名を入力するステップと、
スケジュール上の予定事項の名称として予め備えられたイベント候補名と、スケジュールを遂行する上での実施すべき事項の名称である実施事項名と、を関連付けた関連テーブルを記憶するステップと、
前記入力ステップで入力された前記イベント名と、前記関連テーブルに記憶された前記イベント候補名と、を比較するステップと、
前記比較するステップで比較した結果、前記イベント名とイベント候補名とが一致した場合には、該一致したイベント候補名に関連付けられた前記実施事項名を抽出し、該抽出された実施事項名と、該実施事項名に対応した実施すべき事項の実施期限とを関連付けて記憶するステップからなることを特徴とする。
【発明の効果】
【００１０】
本発明の情報編集装置とその方法およびそれを組み込んだ情報端末によれば、情報の作成又は編集における入力の手間を省き、入力忘れを防ぎ、スケジュールの円滑な遂行が可能となる。
【発明を実施するための最良の形態】
【００１１】
本発明による、情報編集装置の実施の形態について図を用いて説明する。図６は、本発明の情報編集装置のハードウエアブロック図である。本情報編集装置１００は、制御部１０、表示部２０、入力部３０、記憶部４０を含み所謂コンピュータにより構成されている。制御部１０はＣＰＵ（中央情報処理装置）を中心に構成されており、情報編集装置１００の各部を制御する。記憶部４０は、ＲＡＭ、ＲＯＭ、ＥＥＰＲＯＭ等を含んで構成された記憶手段でありメモリーカードなども含んでよい。この記憶部４０に記憶された各種プログラムを制御部１０が実行し情報編集装置１００の機能が実現される。特に本情報編集装置１００では記憶部４０に、ＴｏＤｏ管理アプリケーションを実行するためのＴｏＤｏ管理プログラムが記憶されており、制御部１０がこのプログラムを実行することにより本発明の情報編集装置が実現される。
入力部３０はキーボード、タッチパネル、各種入力ボタンなどを含む情報編集装置１００に対する入力手段である。表示部２０はＣＲＴ、ＬＣＤを含む所謂ディスプレイ装置である。本情報編集装置１００はパーソナルコンピュータ、携帯情報端末、携帯電話機などに搭載された各種コンピュータで実現される。
【００１２】
以下、情報編集装置１００を携帯情報端末により実現する例を説明する。この場合には、入力部３０はタッチパネルやボタンが用いられ、表示部２０はＬＣＤディスプレイが用いられる。本実施形態では記憶場４０にアプリケーション実行用の各プログラムや各種データが記憶されており、スケジュール管理プログラム、ＴｏＤｏ管理プログラムのほかアドレス帳、電子メールプログラム、メモ帳などの各種プログラムとこれらプログラムが使用するスケジュールデータ、ＴｏＤｏデータ、アドレスデータ、電子メールデータ、メモ帳データが記憶されている。ユーザはタッチパネル上に表示された各アプリケーションを表すアイコンをペンなどでタッチ（タップ操作）することにより所望のアプリケーションを起動したり、アプリケーション上で必要な表示項目を呼び出して表示することができる。
【００１３】
図２は表示部２０におけるスケジュールアプリケーションの表示画面である。スケジュールアプリケーションはスケジュール管理プログラムにより実行され、年次、または月次で表示されたカレンダーから所望の日またはイベントを選んでタップ操作によって指定することで、図２ａのように該当する日時に予定されている会議などのイベントや前記選択されたイベントがそれぞれイベントごとに表示される。この場合は、３月２６日の会議を選択しタップしたものである。図２ｂは図２ａに表示された３月２６日に予定されている会議に関するイベント別ＴｏＤｏリストをスケジュール画面上に重ねて表示した様子を示したものである。これは図２ａの表示画面における、「ＴｏＤｏ一覧」アイコンをタップ操作することにより表示される。図３は記憶部４０に格納されている、スケジュールとアクションアイテム（ＴｏＤｏ）の関連を表すスケジュールＴｏＤｏ関連テーブルである。図３に示されるスケジュールＴｏＤｏ関連テーブルにおける「スケジュールタイトル」はスケジュール上の予定事項であり、予定事項名称の候補として予めスケジュールＴｏＤｏ関連テーブルに備えられている。図４は表示部２０における全ＴｏＤｏリストの表示画面である。ＴｏＤｏアプリケーションはＴｏＤｏ管理プログラムにより実行され該アプリケーションが起動すると、全ＴｏＤｏリストが表示される。この全ＴｏＤｏリストは、例えば処理すべき事項の期限が現時点に近いものを一番上にして、期限が離れる順に下に表示される。
【００１４】
図１は情報編集装置１００の機能ブロック図である。これら機能は記憶部４０に記憶されている各種プログラムのうちのスケジュール管理プログラムを制御部１０が実行することにより実現される。データ管理部１は制御部１０に含まれるもので、入力部３０に入力されたスケジュールアプリケーションやＴｏＤｏアプリケーション用の各種データ（予定事項の名称、日時、場所等）を各機能ブロックに引き渡したり、記憶部４０から各データを抽出して各機能ブロックに引き渡したりする。あるいは各機能ブロックが処理をしたデータを受け取り、所定の機能ブロックに引き渡したり、記憶部４０に格納する。スケジュール作成部６はデータ管理部１からスケジュールに関するデータを受け取り図７に示されるスケジュールテーブルを作成する。ここで「タイトル」はスケジュール上の予定事項の名称を示す。表示部２０はこのスケジュールテーブルをもとに図２ａに示されるスケジュールアプリケーションの画面を表示する。ＴｏＤｏリスト作成部４は全ＴｏＤｏリストを作成する。表示部２０はこのテーブルをもとに図２ｂのイベント別ＴｏＤｏリストを作成する。デーブル検索部２はデータ管理部１より受け取ったスケジュールタイトル文字列とスケジュールＴｏＤｏ関連テーブルのスケジュールタイトルの文字列が部分一致するか判定する。テーブル更新部５はスケジュールＴｏＤｏ関連テーブルを更新する。ソート部３はスケジュールＴｏＤｏ関連テーブルの「選択回数」列に記載されている数字に従いイベント別ＴｏＤｏリストの表示順を並べ替える。
【００１５】
以下図１を用いて機能ブロック別の動作を説明する。ユーザが入力部３０からスケジュールアプリケーションを起動する指示をすると制御部１０内のプログラム実行部（図示せず）が記憶部４０にあるスケジュールプログラムを読み出し実行する。ユーザは入力部３０においてスケジュールアプリケーション上で新規スケジュールを入力することを入力部３０から「新規スケジュール」等のアイコンをタップすることにより指示する。ユーザが指示をするとスケジュールタイトル（予定事項の名称）、日付、時間、場所等のイベントを特定するデータを入力する画面が表示部２０に表示される。このときイベントのＩＤに当たるイベント番号がデータ管理部１から付与されスケジュール作成部６に送られる。スケジュール作成部６は新規スケジュールとしてスケジュールテーブルに前記付与されたイベント番号を追加する。
【００１６】
ユーザが前記イベントを特定するデータを入力すると表示部２０にはスケジュールタイトル、日付、時間、場所等のデータがセットされ図２ａに示すスケジュール画面が表示される。この画面において「ＴｏＤｏ一覧」ボタンをユーザがタップすることによりデータ管理部１が、前記セットされたイベントを特定するデータのうち一つまたは複数を関連テーブル検索部２へ送信する。さらにデータ管理部１は記憶部４０から図３に示されるスケジュールＴｏＤｏ関連テーブルを読み出し、関連テーブル検索部２へ送信する。関連テーブル検索部２は、入力部３０からデータ管理部１経由で送られたスケジュールタイトルの文字列がスケジュールＴｏＤｏ関連テーブルのスケジュールタイトル列にあるスケジュールタイトルと部分一致するかどうか検索を行う。検索は、スケジュールＴｏＤｏ関連テーブルの一番最初の行から順に検索を行う。図３の例では、入力されたスケジュールタイトル「販売会議」に対し、スケジュールＴｏＤｏ関連テーブルのスケジュールタイトル列にある「会議」が部分一致するので「会議」行に対応する「ＴｏＤｏタイトル列」と「期限」である「報告書作成」「１４４０」、「会議室準備」「−３０」、「議事録作成」「２８８０」の６項目が抽出されデータ管理部１経由でテーブル更新部５に送られる。なお、スケジュールＴｏＤｏ関連テーブルはスケジュールタイトル毎に「ＴｏＤｏタイトル」、各ＴｏＤｏの実施期限である「期限」、ＴｏＤｏタイトルの「選択回数」などが示されたものであり、「期限」は各アクションアイテムごとに必要な所要時間を考慮して設定する。なお、これらはデフォルトで作成されてもいいしユーザが各ＴｏＤｏごとに作成しても良い。
【００１７】
また、データ管理部１は前記「ＴｏＤｏ一覧」ボタンをユーザがタップした際に入力部３０にセットされた前記イベントを特定するデータをテーブル更新部５にも送る。テーブル更新部５は、これらデータを基に図８に示すイベント別ＴｏＤｏテーブルを作成する。このイベント別ＴｏＤｏテーブルのイベント行のタイトル列、日付列、時間列には、対応する前記イベントを特定するデータが入力される。更にＮｏ．列にはデータ管理部１がスケジュール作成部６に送ったイベント番号が入力される。また関連テーブル検索部２で抽出された「報告書作成」、「会議室準備」、「議事録作成」の３項目がＴｏＤｏ行に入力される。更に、テーブル更新部５は各ＴｏＤｏの実施期限として、スケジュールＴｏＤｏ関連テーブルから前記ＴｏＤｏに対応する「期限」と前記イベントを特定するデータのうちの「時間」の和を計算し、計算した結果の日付と時間がＴｏＤｏ行の各ＴｏＤｏごとに入力される。この例では、イベントを特定するデータである、日付「２００４年３月２６日」、時間「１０：００〜１１：００」に対し、報告書作成期限は１４４０分を足した３月２７日１０：００、会議室準備はー３０分を足した３月２６日９：３０、議事録作成は２８８０分足した３月２８日１０：００となる。
【００１８】
表示部２０は作成されたイベント別ＴｏＤｏテーブルをもとに図２ｂに示すイベント別ＴｏＤｏリストを表示する。この際、ソート部３がイベント別ＴｏＤｏテーブルのＴｏＤｏ行をスケジュールＴｏＤｏ関連テーブルの４列目の選択回数値の降順に並べ替える。この並べ替えが終了すると、表示部２０は図２ｂのイベント別ＴｏＤｏリストを画面に表示させる。イベント別ＴｏＤｏリストのＴｏＤｏタイトル毎に表示されるチェックボックスは、ＴｏＤｏを設定するかどうかのチェックボックスであり、表示時点においては、デフォルトでオンとなっている。ＴｏＤｏタイトルは、スケジュールＴｏＤｏ関連テーブルのＴｏＤｏタイトルがそのまま用いられる。時間は、図８のイベント別ＴｏＤｏテーブルのＴｏＤｏ毎の時間が表示される。この時間は各アクションアイテムの実施期限を示している。このイベント別ＴｏＤｏリスト表示画面でＯＫボタンがタップされると、関連テーブル更新部５は作成したイベント別ＴｏＤｏテーブルをデータ管理部１へ送り、データ管理部１は記憶部４０へ送り保存する。また、テーブル更新部５は、スケジュールＴｏＤｏ関連テーブルをデータ管理部１経由で読み出し、イベント別ＴｏＤｏリスト表示画面上のＴｏＤｏタイトルについては前記検索により抽出されたと判断し、対応するスケジュールＴｏＤｏ関連テーブルの「選択回数」を１つ増す処理を行い、スケジュールＴｏＤｏ関連テーブルを記憶部４０へ保存する。この際チェックボックスにチェックがあるものだけの選択回数を増やすこととしてもよい。
【００１９】
ＴｏＤｏリスト作成部４はイベント別ＴｏＤｏリスト表示画面でＯＫがタップされると、全てのイベント別ＴｏＤｏテーブルから各レコードを抽出した全ＴｏＤｏテーブル（図示せず）を日時でソートし、記憶部４０に保存する。この動作によりイベント別ＴｏＤｏリストは閉じる。図２ａに示すスケジュール画面で、「確定」がタップされることによりスケジュール作成部６はユーザが入力した前記イベントを特定するデータであるスケジュールタイトル、日付、時間、場所等のデータをスケジュールテーブルの該当するイベント番号行に入力し、このスケジュールテーブルをデータ管理部１経由で記憶部４０に送り保存する。このタップ操作により図２ａのスケジュール画面は閉じ、月次または週間スケジュールが表示される。ところで、イベント別ＴｏＤｏリスト表示画面上で、新規ＴｏＤｏがチェックボックスにより選択されている場合は、別途入力画面がポップアップし（表示せず）、ＴｏＤｏタイトルおよび日程の入力が行われ、確定ボタンがタップされると、関連テーブル更新部５は、このデータを受けてイベント別ＴｏＤｏテーブルに新規ＴｏＤｏタイトルを追加すると共に、スケジュールＴｏＤｏ関連テーブルの最終列にそのデータを追加し、選択回数を１とする。またイベント別ＴｏＤｏリストの時間の変更を行った場合は、スケジュールＴｏＤｏ関連テーブルの期限の変更は行われず、イベント別ＴｏＤｏテーブルのみに変更した時間が反映される。これは、スケジュールＴｏＤｏ関連テーブルの期限が変更されると以降入力されるＴｏＤｏの期限が全て変更されることを防ぐことを目的としており、正式に変更する場合は、新規ＴｏＤｏを作成して更新することとなる。
【００２０】
図１に示される回路構成は、当該機能を実現する手段であれば、どのような回路または装置であってもよく、また機能の一部をソフトウエアで実現することも可能である。さらに機能実現手段を、複数の回路によって実現してもよく、複数の機能を単一の回路で実現してもよい。よく使われると思われるＴｏＤｏについては、あらかじめ図３のスケジュールＴｏＤｏ関連テーブルに設定しておいてもよく、図４の全ＴｏＤｏリストの期限表示も、これに限定されるものではない。
【００２１】
図５において、本発明による情報編集方法のシーケンスを説明する。図２ａに示される、スケジュール画面上のスケジュールタイトル、日付、時間等が入力されると（ステップ１０）、これらのデータのうちタイトルと図３のスケジュールＴｏＤｏ関連テーブルとを照合して検索が開始される（ステップ１２）。検索においては、スケジュールタイトルの文字列と関連テーブルの１列目の文字列が、部分的に一致するかを判定する。従って、スケジュールタイトルに販売会議と入力した場合でも、スケジュールＴｏＤｏ関連テーブルのスケジュールタイトルの会議の文字列との部分的な一致により、該当するＴｏＤｏタイトルを図２ｂのイベント別ＴｏＤｏリストに追加される。一致しなければ、次の行の検索を行い、最後の行まで検索を繰り返す（ステップ１６）。
【００２２】
ＴｏＤｏ検索が終了し、イベント別ＴｏＤｏテーブルが作成されると（ステップ１４）、作成されたイベント別ＴｏＤｏリストは、図３のスケジュールＴｏＤｏ関連テーブルの４列目の選択回数値の降順に並べ替えられ（ステップ１８）、イベント別ＴｏＤｏリストの作成が完了する（ステップ２０）。この並べ替えが終了すると、図２ｂに示される編集表示リストが、画面に表示される（ステップ２２）。イベント別ＴｏＤｏリストのチェックボックスは、ＴｏＤｏを設定するかどうかのチェックボックスであり、表示時点においては、デフォルトでオンとなっている。ＴｏＤｏタイトルは、スケジュールＴｏＤｏ関連テーブルのＴｏＤｏタイトルがそのまま用いられる。時間は、図８のイベント別ＴｏＤｏテーブルのＴｏＤｏ毎の時間が表示される。
【００２３】
このイベント別ＴｏＤｏリスト表示中にチェックボックスの選択、日程・時刻の変更等を画面上で行うことができ、イベント別ＴｏＤｏリストの編集を行うことができる（ステップ２４）。ユーザがＯＫボタンをタップすると（ステップ２５）新規ＴｏＤｏが選択されている場合は、イベント別ＴｏＤｏリストに入力画面がポップアップ（表示せず）し、ＴｏＤｏタイトルおよび日程の入力が行われ確認ボタンがタップされると、イベント別ＴｏＤｏテーブルに追加される（ステップ２６、２８）と共に引き続き、スケジュールＴｏＤｏ関連テーブルの最終列にそのデータが追加される（ステップ３０）。
【００２４】
次に、チェックボックスにチェックがあるレコードについては、スケジュールＴｏＤｏ関連テーブルの選択回数を一回増して更新し（ステップ３２、３４）、スケジュールＴｏＤｏ関連テーブルの更新とイベント別ＴｏＤＯリストの作成を完了する（ステップ３６）。更に全ＴｏＤｏリストが作成される（ステップ３８）。更新されたスケジュールＴｏＤｏ関連テーブルは保存され（ステップ４０）、編集作業が終了する。尚全ＴｏＤｏリストは、ＴｏＤｏアプリケーションを起動することによって表示することができる。
【００２５】
以上説明したように、スケジュール管理アプリケーションにおいて、イベント入力の際のタイトルを指定することにより、ＴｏＤｏタイトルが引用されるため、アクションアイテムの編集における入力の手間を省き、入力忘れを防ぐことが可能となる。また利用頻度の多いアクションアイテムをあらかじめタイトル化し、関連テーブルに記載しておくことで、ＴｏＤｏの抜けを防ぐことができる。さらにＴｏＤｏリストの更新が終了した時点でこれをファイル化しておくことで、必要に応じ随時読み出してＴｏＤｏのチェックができるため、手配遅れなどの問題を回避することが可能となる。
【産業上の利用可能性】
【００２６】
本発明は、デスクトップパソコンあるいは携帯情報端末のほか、携帯電話などあらゆる情報端末におけるスケジュールアプリケーションにおけるアクションアイテム（ＴｏＤｏ）管理に適用できる。
【図面の簡単な説明】
【００２７】
【図１】本発明による情報編集装置の機能ブロック図。
【図２】表示部におけるスケジュールアプリケーションの表示画面。
【図３】スケジュールとアクションアイテム（ＴｏＤｏ）の関連を表すスケジュールＴｏＤｏ関連テーブル。
【図４】表示部２０における全ＴｏＤｏリストの表示画面。
【図５】本発明の情報編集方法のシーケンスを示すフローチャート。
【図６】本発明の情報編集装置のハードウエアブロック図。
【図７】スケジュールに関するデータで作成されるスケジュールテーブル。
【図８】イベントを特定するデータで作成されるイベント別ＴｏＤｏテーブル。
【符号の説明】
【００２８】
１    データ管理部
２    関連テーブル検索部
３    ソート部
４    ＴｏＤｏリスト作成部
５    テーブル更新部
６    スケジュール作成部
１０    制御部
２０    表示部
３０    入力部
４０    記憶部
１００    情報編集装置
【図１】
2005346199.tif 000003
【図２】
2005346199.tif 000004
【図３】
2005346199.tif 000005
【図４】
2005346199.tif 000006
【図５】
2005346199.tif 000007
【図６】
2005346199.tif 000008
【図７】
2005346199.tif 000009
【図８】
2005346199.tif 000010